(57)【要約】【課題】携行可能な物品に持続的な芳香を付すための、芳香成分の配合量の調整が容易な芳香剤付きシートを提供する。【解決手段】本考案に係る芳香剤付きシート１は、携帯型電子機器等の携行可能な物品に貼付したり、該物品と他の物品との間に挟持したりするためのシートにおいて、シート状の基材２０と、基材２０の表面に塗工された、揮発性芳香成分を含む紫外線硬化性樹脂から成る固体状の樹脂層１０とを備えることにより、樹脂材料の硬化時に該揮発性芳香成分が揮発することを防止し、芳香成分の配合量の調整を容易とする。【選択図】図１
0003193429.tif 000002
【実用新案登録請求の範囲】
【請求項１】
携帯型電子機器等の携行可能な物品に貼付したり、該物品と他の物品との間に挟持したりするためのシートであって、
a)シート状の基材と、
b)該基材の表面に塗工された、揮発性芳香成分を含む紫外線硬化性樹脂から成る固体状の樹脂層と、
を備えることを特徴とする芳香剤付きシート。
【請求項２】
前記基材が紙であることを特徴とする請求項１に記載の芳香剤付きシート。
【請求項３】
前記基材の裏面に塗工された、揮発性芳香成分を含む紫外線硬化性樹脂から成る固体状の樹脂層をさらに備えることを特徴とする請求項１又は２に記載の芳香剤付きシート。
【請求項４】
c)前記基材の裏面上に形成された接着剤層と、
d)該接着剤層上に設けられた剥離部材と、
をさらに備えることを特徴とする請求項１又は２に記載の芳香剤付きシート。
【請求項５】
前記樹脂層が、
e)モノマーを５０〜７０重量部、
f)オリゴマーを１０〜３０重量部、
g)重合開始剤を１〜５重量部、
h)界面活性剤を０．１〜３重量部
含む紫外線硬化性樹脂に、
i)揮発性芳香成分を１５〜２５重量部添加したものであることを特徴とする請求項１〜４のいずれかに記載の芳香剤付きシート。
【請求項６】
前記樹脂層が透明又は半透明であり、
前記基材が、前記樹脂層と接する面に色又は図柄を付されたものであることを特徴とする請求項１〜５のいずれかに記載の芳香剤付きシート。
【考案の詳細な説明】
【技術分野】
【０００１】
本考案は、空気中に芳香を揮散させるために用いられる芳香剤付きシートに関する。
【背景技術】
【０００２】
生活空間を快適にするため、住宅の居室やトイレ、浴室、自動車の車室といった様々な空間の気になる臭いを抑える、いわゆる芳香剤が広く用いられている。このような芳香剤には、濾紙等に芳香成分を含浸させ、そこから揮散させる液体状芳香剤や、芳香成分を配合したゲル状樹脂からなるゲル状芳香剤等があり、特にゲル状芳香剤は容器から芳香剤がこぼれる心配がないことから、据え置き型の芳香剤として広く用いられている（例えば特許文献１）。
【０００３】
一方で、近年の携帯電話やスマートフォンといった携帯型電子機器の普及に伴い、室内のみならずこうした携行品にも芳香を付して楽しみたいというユーザの要望が見込まれている。
【０００４】
このような要望に対応するために考えられる芳香剤の態様として、例えば次の２つが考えられる。１つは、ストラップ等のアクセサリーの一部にゲル状の芳香剤を収容する収容部を設ける態様である。
【０００５】
もう１つは、芳香成分を含む組成物（すなわち芳香剤）を紙や樹脂等のシート状の材料の表面に塗工し、これを携帯型電子機器の本体又はケースに貼付したり、これら２者の間に挟持したりする態様である。
【先行技術文献】
【特許文献】
【０００６】
【特許文献１】特開2012-61121号公報
【特許文献２】特開平9-34363号公報
【考案の概要】
【考案が解決しようとする課題】
【０００７】
上述した例のうち１番目の態様では、空気中に芳香を揮散させるために収容部に通気孔を設ける必要がある。容器からこぼれにくいとはいえ、携行時に強い振動や衝撃を受けた場合にはゲル状の芳香剤が該通気孔から漏れ出してしまうおそれがある。また、特許文献１に記載のようなゲル状芳香剤の多くは樹脂材料をゲル化（硬化）させる際に加熱工程を伴うため、樹脂材料に配合した芳香成分の一部がゲル化の際に揮発してしまう。このため、ゲル化の際に揮発する量を見込んで芳香成分を樹脂材料に配合する必要があり、芳香成分の配合量の調整が難しい。特に、広い空間に芳香を揮散させる場合とは異なり、携行品に付す芳香はあまりに強すぎると却ってユーザに不快感を与えてしまう場合があるため、室内用の芳香剤よりも微妙な調整が必要になってくる。
２番目の態様の例として、特許文献２に記載されたタックラベルがある。これは、香気成分を遮蔽可能な２つの基材で芳香成分を挟んだ後に該基材をシールして芳香成分を封入したもので、ユーザがシールを解除（一方の基材を他方から剥離）することにより芳香を楽しむことができる。しかしながら、この構成では（特に芳香成分を含む組成物が微量の液体である場合）剥離後に短時間で芳香成分が全て揮発してしまい、ユーザが芳香を長く楽しめない。また、芳香成分を含む組成物の量を増やすと、芳香成分が全て揮発してしまうまでの時間を長くすることができるが、シールを剥離した直後の芳香が強すぎるという問題がある。
【０００８】
本考案は上記の事情に鑑みて成されたものであり、その目的とするところは、携帯型電子機器等の携行可能な物品に持続的な芳香を付すための、芳香成分の配合量の調整が容易な芳香剤付きシートを提供することにある。
【課題を解決するための手段】
【０００９】
上記課題を解決するために成された本考案に係る芳香剤付きシートは、携帯型電子機器等の携行可能な物品に貼付したり、該物品と他の物品との間に挟持したりするためのシートであって、
a)シート状の基材と、
b)該基材の表面に塗工された、揮発性芳香成分を含む紫外線硬化性樹脂から成る固体状の樹脂層と、
を備えることを特徴とする。
【００１０】
前記基材は例えばＰＥＴ（polyethylene terephthalate）等の樹脂材料や紙、布等であってもよく、さらに裏面側にc)接着材層とd)剥離部材とを設けることにより様々な物品への貼付を可能とすることができる。
【００１１】
あるいは、揮発性芳香成分を含む紫外線硬化性樹脂から成る固体状の樹脂層を、前記基材の裏面側にも塗工してもよい。本構成では、芳香成分の揮発に伴う樹脂の体積減少に起因する引張応力が、基材に対して表裏両側から印加されることとなるため、片側からの引張応力により生じ得るシートの反りを防止することができる。
【００１２】
また、芳香を長時間持続させるためには、前記樹脂層を、
e)モノマーを５０〜７０重量部、
f)オリゴマーを１０〜３０重量部、
g)重合開始剤を１〜５重量部、
h)界面活性剤を０．１〜３重量部
含む紫外線硬化性樹脂に、
i)揮発性芳香成分を１５〜２５重量部添加したものに紫外線を照射することにより形成することが好ましい。
【００１３】
さらに、前記樹脂層を透明又は半透明の材料にて形成し、基材に付された色や図柄を該樹脂層を通して視認可能とすることで、前記芳香剤付きシートの意匠性を高めることもできる。前記図柄としては、絵画、デザイン、文字及びロゴマーク等を挙例することができる。
【考案の効果】
【００１４】
本考案の芳香剤付きシートは、芳香を生じる樹脂層が紫外線硬化性樹脂から成るため、揮発性芳香成分を含む樹脂材料の硬化時に該揮発性芳香成分が揮発することがない。このため、樹脂材料に配合した芳香成分がそのまま樹脂層に含まれることとなるので、芳香成分の配合量の調整が容易である。
【図面の簡単な説明】
【００１５】
【図１】本考案の第１の実施形態に係る芳香剤付きシートの断面図。
【図２】図１に示す芳香剤付きシートの使用方法を説明するための斜視図。
【図３】図１に示す芳香剤付きシートの表面側の外観例。
【図４】図１に示す芳香剤付きシートの別の使用方法を説明するための斜視図。
【図５】本考案の第２の実施形態に係る芳香剤付きシートの断面図。
【図６】本考案の第３の実施形態に係る芳香剤付きシートの断面図。
【図７】図６に示す芳香剤付きシートの使用方法の説明図。
【考案を実施するための形態】
【００１６】
以下、本考案を実施するための形態について、図面を参照しつつ説明する。以下の記載において、先に説明した図面と同一の機能を有する部材には同一の番号を付し、その説明を省略する。また、各部材の寸法比は説明のために適宜簡略化されており、実際の寸法比とは異なる場合がある。
【００１７】
〔第１の実施形態〕
図１は本考案の第１の実施形態に係る芳香剤付きシート１の断面図である。芳香剤付きシート１は樹脂層１０と基材２０とから成る積層構造を有する。
【００１８】
基材２０は紙、布及び樹脂材料（例えばＰＥＴ（polyethylene terephthalate）等）であってもよく、特に紙は印刷により様々な色や図柄を付すことが容易であることから好適である。基材２０が紙で実現される場合、芳香剤付きシート１の引張・引裂強度及び後述する芳香の持続性等を考慮すると、厚さは250〜350μm程度が適している。
【００１９】
樹脂層１０は、モノマー（Ａ）及びオリゴマー（Ｂ）から成る基剤、重合開始剤（Ｃ）及び界面活性剤（Ｄ）から構成される組成物に揮発性芳香成分（Ｅ）を添加したものを基材２０の表面に塗工した後、波長が360nm〜370nmの紫外線（特には波長365nmの紫外線）を照射して硬化させたものである。樹脂層１０は好ましくは透明又は半透明であり、これによりユーザは基材２０に付された上記の色や図柄を樹脂層１０を通して視認することができる。また、樹脂層１０の厚さは50〜100μm程度とすることが好ましい。
【００２０】
なお、基材２０が紙である場合、上記の厚さで樹脂層１０を形成した後、該樹脂層１０を成す樹脂及び揮発性芳香成分は紙の繊維間の空隙を満たすように基材２０に浸透する。そのため、完成品として得られる芳香剤付きシート１において、揮発性芳香成分は上述の樹脂層１０の厚さよりもやや厚く疎に分布することとなる。これにより、揮発性芳香成分の分布領域の体積に対する表面積の比が小さくなり、また該分布領域における単位体積あたりの揮発性芳香成分の含有量が少なくなる。従って芳香剤付きシート１から芳香成分が全て揮発するまでにかかる時間が長くなり、上述の数値例の場合には２〜３ヶ月の芳香期間が実現される。このような構成は、使用時に熱を発する携帯型電子機器に付して用いる場合に芳香を長持ちさせるために有用である。
【００２１】
モノマー（Ａ）としては、ラジカル重合系の単官能アクリレートもしくは多官能アクリレート等のメタアクリルモノマーを用いることが好ましく、同様に、オリゴマー（Ｂ）としては、ラジカル重合系のエポキシアクリレート、ウレタンアクリレート、ポリエステルアクリレート、ポリエーテルアクリレート、共重合系アクリレート、ポリブタジエンアクリレート、シリコンアクリレート等のアクリルオリゴマーを用いることが好ましい。本実施形態では、モノマー（Ａ）として２−ヒドロキシエチルメタクリレートを、オリゴマー（Ｂ）としてウレタンアクリレートを用いた。
【００２２】
重合開始剤（Ｃ）は、モノマー及びオリゴマーの種類に応じて適宜の開始剤を用いることができるが、ラジカル重合系のモノマー及びオリゴマーを用いた場合の重合開始剤としては、波長が360nm〜370nmの紫外線により容易に重合開始するアルキルフェノン系光重合開始剤、アシルホスフィン系光重合開始剤、を用いるとよい。
【００２３】
界面活性剤（Ｄ）は、樹脂層１０の表面の仕上がりをきれいにするために用いられ、非イオン系界面活性剤が適している。
【００２４】
揮発性芳香成分（Ｅ）は、紫外線照射による上記組成物の重合を阻害しないものであれば何でもよく、一般的な芳香剤に添加されている香料であれば全て用いることができる。
【００２５】
なお、上記したように、（Ａ）〜（Ｅ）成分としては種々のものを用いることができるが、特に、下記（１）〜（６）の点を考慮して（Ａ）〜（Ｅ）成分を選定するとともに配合量を決定した。
（１）硬化速度が速いこと。
（２）溶剤を配合しなくても紫外線照射により硬化すること。これは、製造時における環境への負荷を低減するためである。
（３）（Ａ）〜（Ｄ）成分は無臭に近い微香性であり、硬化するとほぼ無臭となること。これは、（Ｅ）成分由来の芳香に与える影響を抑えるためである。
（４）（Ａ）〜（Ｄ）成分は液状であること。これは、（Ｅ）成分をブレンドし易くするためである。
（５）透明或いは半透明であること。これは上述したとおり、基材２０に付した色又は図柄が表面側（図１において上側）から視認できるようにするためである。
（６）樹脂層１０が、指や他の物品との接触により表面形状が変形したり基材２０から脱離したりしない程度の硬度を持ち、且つ、揮発性芳香成分が持続して揮散すること。
【００２６】
特に（６）については、（Ａ）〜（Ｄ）成分を種々の材料及び配合量で混合し、紫外線を照射して樹脂層１０を繰り返し試作することにより、適切な材料、配合量を決定した。その結果、紫外線硬化性樹脂に対する（Ａ）〜（Ｅ）成分の配合量は、紫外線硬化性樹脂１００重量部に対して、モノマー（Ａ）は５０〜７０重量部、オリゴマー（Ｂ）は１０〜３０重量部、重合開始剤（Ｃ）は１〜５重量部、界面活性剤を０．１〜３重量部、揮発性芳香成分（Ｅ）は１５〜２５重量部とすることが好ましいことが分かった。
【００２７】
図２に、芳香剤付きシート１の使用例として、スマートフォン１００とスマートフォンケース２００との間に挟持する場合の一形態例を示す。同図の芳香剤付きシート１はスマートフォン１００の裏面のほぼ全体を被覆することとなるため、例えばスマートフォン１００が備えるカメラのレンズ部１０１等を遮蔽しないよう、適宜の位置及び形状の穴１１を有することが好ましい。また、使用時にユーザが基材２０に付された色又は図柄を視認できるよう、スマートフォンケース２００についても透明又は半透明のものを用いるとよい。
【００２８】
図３に、芳香剤付きシート１の表面側の外観例を示す。本実施形態では樹脂層１０は透明又は半透明であるため、芳香剤付きシート１の表面側の外観には基材２０に付された色又は図柄が反映される。基材２０には、同図（ａ）に示すように単一の色が施されてもよいし、同図（ｂ）に示すように所定の図柄（絵画、デザイン、文字及びロゴマーク等）が施されてもよい。
【００２９】
以上のように、本実施形態に係る芳香剤付きシート１によれば、樹脂材料の硬化時に熱を加えなくてもよいため、樹脂材料に添加した芳香成分が製造時に揮発することがない。従って、硬化前に添加した芳香成分の量がそのまま樹脂層１０に含まれることになるため、揮発性芳香成分の配合量を容易に調整することができる。さらに、加熱処理を伴わないことから紙で基材２０を実現することができるため、印刷により色や図柄等を付して芳香剤付きシート１の意匠性を高めることも容易である。また、本考案の芳香剤付きシート１は樹脂層１０が固体状であり、適度な硬度を有しているため、ゲル状の芳香剤と異なり、ユーザの指や他の物品（例えばスマートフォンケース２００）と接触してもこれらに付着したり表面形状が変形したりすることがない。従って、携帯型電子機器等の携行品に芳香を付すのに好適に用いることができる。
【００３０】
さらに、樹脂層１０に紫外線硬化性樹脂を用いることの重要な利点として、使用可能な芳香成分の質や種類の幅が広いことが挙げられる。従来の熱硬化性樹脂を用いた芳香剤では、樹脂を硬化させるための加熱処理によって全て揮発してしまったり組成の変質が生じたりするために使用できない芳香成分が多く（例えば柑橘系、ペパーミント及び天然植物精油等）、そうした成分由来の繊細な香りを実現することが難しかった。本実施形態の芳香剤付きシート１は加熱処理を伴わないため、上記のような芳香成分も問題なく使用することができる。
【００３１】
また、上述で配合量を示したとおり樹脂層１０の賦香率は１５〜２５％である。従来のゲル状の芳香剤の賦香率は高くとも１０％前後であるため、本実施形態の芳香剤付きシート１は上記従来のゲル状芳香剤よりも芳香の持続期間が長くなる。また、従来のゲル状芳香剤は熱に弱いため、夏の車内等の高温な場所に放置すると溶解したり表面に液状化現象が生じたりすることがあった。一方、本実施形態の芳香剤付きシート１は１４０℃に加熱しても形状の変化が生じないことが本考案者による実験で確認されており、上記のような環境に放置しても、樹脂層１０が溶融してスマートフォン１００本体やケース２００に付着するといったことがない。
【００３２】
さらに芳香を楽しむための構成として、図４のように、スマートフォンケース２００ａに適宜の形状の穴２０１を設け、この穴２０１を通して樹脂層１０又は１０ａ中の芳香成分を空気中に揮散させるようにしてもよい。穴２０１の形状は芳香剤付きシート１ａに付された図柄（例えばデザイン）に合わせて適宜決定されてもよい。個数についても同図のような１個には限定されず、例えばポルカドット状に複数の穴２０１を設けてもよい。また、穴２０１に代えて複数のスリットをスマートフォンケース２００ａに設けてもよい。これによりユーザは、穴２０１が設けられていないスマートフォンケース２００（図２参照）よりも強い芳香を楽しむことができる。
【００３３】
〔第２の実施形態〕
図５は本考案の第２の実施形態に係る芳香剤付きシート１ａの断面図である。芳香剤付きシート１ａは、上記第１の実施形態に係る芳香剤付きシート１において、基材２０の裏面側に樹脂層１０ａが積層された構造を有する。
【００３４】
樹脂層１０ａは、樹脂層１０と同様に揮発性芳香成分を含む組成物であり、好ましくは樹脂層１０と同一の配合比及び厚さを有する。これにより、シートに付される芳香成分の量が増大するため、ユーザが感じる芳香がより強くなる。また、揮発性芳香成分を含む樹脂は、芳香成分の揮発により体積が徐々に減少するため、上記第１の実施形態のように基材２０の片面にのみ樹脂層１０を塗工した場合、芳香剤付きシート１に反りが生じることがある。本実施形態に係る芳香剤付きシート１ａは、樹脂層１０と樹脂層１０ａとが基材２０の両面と一体化しているため、基材２０は表裏両側から同じ応力を受けることになり、上記のような反りを起こしにくいという効果もある。
【００３５】
〔第３の実施形態〕
図６は本考案の第３の実施形態に係る芳香剤付きシール２（本考案の芳香剤付きシートに相当）の断面図である。芳香剤付きシール２は、上記第１の実施形態に係る芳香剤付きシート１ａ（本実施形態では１ｂの符号を付す）において、基材２０の裏面側に接着剤層３０と剥離部材４０とが順に積層された構造を有する。
【００３６】
接着剤層３０は、芳香剤付きシート１ｂ（樹脂層１０及び基材２０）を他の物品に貼付可能とするための接着手段であり、公知の接着剤及び粘着剤によって実現される。接着剤層３０の接着力は、芳香剤付きシート１ｂが上述したような反りによって貼付対象の物品から剥離しない程度の強度が好ましい。剥離部材４０は、接着剤層３０を保護することで接着剤層３０の接着力を維持するとともに、芳香剤付きシート１ｂが不所望の物品に誤って貼付されることを防止するものであり、例えば紙等を基材として接着剤層３０と接する面にシリコーン樹脂をコーティングすることで実現される。
【００３７】
図７に、芳香剤付きシール２の使用例として、剥離部材４０から剥離した芳香剤付きシート１ｂ（及び接着剤層３０）を、スマートフォン１００（又は図２に示すスマートフォンケース２００）の裏面側に貼付する場合の一形態例を示す。同図に示すように、芳香剤付きシート１ｂは接着剤層３０により任意の位置に貼付することができるため、小型であっても携行時の衝撃等で紛失し難く、形状の自由度は上記第１及び第２の実施形態よりも高くなる。
【００３８】
〔その他の変更例〕
本考案は上述した各実施形態に限定されるものではなく、本考案の趣旨の範囲で適宜変更が許容される。
例えば、樹脂層１０は不透明であってもよく、該樹脂層１０に任意の着色料をブレンドして有色の層とすることで上記第１の実施形態における図３（ａ）の芳香剤付きシート１と同様の機能を実現することができる。また、上記第３の実施形態においては、芳香剤付きシート１ｂの形状に特徴がある場合、樹脂層１０が不透明であっても十分に高い意匠性が実現可能であると考えられる。
【００３９】
また、上述の各実施形態では芳香剤付きシート１、１ａ及び１ｂ並びに芳香剤付きシール２を、スマートフォン１００に芳香を付す手段として説明した。しかし本考案の適用例はこれに限定されず、芳香剤付きシート１、１ａを本のしおりとして用いてもよいし、芳香剤付きシール２は携帯電話等の他の携帯型電子機器、手帳等の文房具、及び化粧品の容器等、様々な物品に芳香剤付きシート１ｂを貼付する目的で使用することができる。
【００４０】
また、上記第１の実施形態における芳香剤付きシート１、１ａの形状はスマートフォン１００の裏面形状と一致している必要はなく、例えばスマートフォン１００よりやや小さい矩形形状や円形・楕円形及びその他の多角形状であってもよい。但し、スマートフォン１００とスマートフォンケース２００とにより挟持された際にレンズ部１０１等を遮蔽しない形状とすることが好ましい。
【符号の説明】
【００４１】
１、１ａ、１ｂ…芳香剤付きシート
１０、１０ａ…樹脂層
１００…スマートフォン
１０１…レンズ部
１１…穴
２…芳香剤付きシール
２０…基材
２００…スマートフォンケース
２０１…穴
３０…接着剤層
４０…剥離部材
【図１】
0003193429.tif 000003
【図２】
0003193429.tif 000004
【図３】
0003193429.tif 000005
【図４】
0003193429.tif 000006
【図５】
0003193429.tif 000007
【図６】
0003193429.tif 000008
【図７】
0003193429.tif 000009